(57)【要約】【課題】  最小限のプログラム変更で、薬局に設置されている端末を本部サーバに接続することができる薬局販売情報システムを提供する。【解決手段】    本部サーバと、薬局に設置されるレセコンとで薬局販売情報システムが構成される。レセコンは、患者に対して行われた調剤サービスが、社会保険または国民健康保険の適用対象である場合に、該当の保険の支払基金システムが読み取り可能なデータフォーマットで電子レセプトを出力し、調剤サービスが、社会保険または国民健康保険の適用対象外である場合に、電子レセプトのデータフォーマットと同一のデータフォーマットで、調剤サービスに関わる調剤データを出力する。本部サーバは、レセコンから出力される調剤データを読み取る読取部、データを記憶する記憶部、及び読取部で読み取られた調剤データを記憶部に記憶させる処理部を有する。【選択図】  図２
2007052767.tif 000002
【特許請求の範囲】
【請求項１】
薬局に配置されたレセプトコンピュータから出力される電子レセプトと同一データフォーマットの調剤データを読み取る読取部と、
データを記憶する記憶部と、
前記読取部で読み取られた調剤データを、前記記憶部に記憶させる処理部と
を有する本部サーバ。
【請求項２】
前記調剤データが、処方箋を処方した医師を特定する医師識別情報、処方箋が処方された医療機関を特定する医療機関識別情報、処方箋が処方された医療機関の属する地域を特定する地域識別情報、該処方箋に基づいて調剤された薬剤種別を特定する薬剤種別情報、及び調剤された量を特定する使用量情報を含み、前記処理部は、医師識別情報、医療機関識別情報、及び地域識別情報の少なくとも１つの識別情報別に調剤データを集計し、前記記憶部に、該識別情報別に集計された調剤データを記憶させる請求項１に記載の本部サーバ。
【請求項３】
前記処理部は、情報提供依頼があると、前記記憶部に記憶されている集計された調剤データに基づいて、提供依頼のあったデータを出力する請求項２に記載の本部サーバ。
【請求項４】
前記処理部は、ある薬剤を処方した医療機関名または医師名に関する情報提供依頼があると、前記記憶部に記憶されている集計された調剤データに基づいて、当該薬剤を処方した医療機関名または医師名を出力する請求項２に記載の本部サーバ。
【請求項５】
前記処理部は、同一成分の薬剤の先発品及び後発品の売上高に関する情報提供依頼があると、前記記憶部に記憶されている集計された調剤データに基づいて、当該薬剤の売上高を薬剤ごとに出力する請求項２に記載の本部サーバ。
【請求項６】
前記処理部は、ある薬剤の地域別の売上高に関する情報提供依頼があると、前記記憶部に記憶されている集計された調剤データに基づいて、当該薬剤の売上高を地域別に出力する請求項２に記載の本部サーバ。
【請求項７】
薬局に設置されるレセプトコンピュータであって、患者に対して行われた調剤サービスが、社会保険または国民健康保険の適用対象である場合に、該当の保険の支払基金システムが読み取り可能なデータフォーマットで電子レセプトを出力し、調剤サービスが、社会保険または国民健康保険の適用対象外である場合に、前記電子レセプトのデータフォーマットと同一のデータフォーマットで、調剤サービスに関わる調剤データを出力するレセプトコンピュータ。
【請求項８】
薬局に設置されるレセプトコンピュータ用プログラムであって、患者に対して行われた調剤サービスが、社会保険または国民健康保険の適用対象である場合に、該当の保険の支払基金システムが読み取り可能なデータフォーマットで電子レセプトを出力し、調剤サービスが、社会保険または国民健康保険の適用対象外である場合に、前記電子レセプトのデータフォーマットと同一のデータフォーマットで、調剤サービスに関わる調剤データを出力するレセプトコンピュータ用プログラム。
【請求項９】
薬局に設置されるレセプトコンピュータであって、患者に対して行われた調剤サービスが、社会保険または国民健康保険の適用対象である場合に、該当の保険の支払基金システムが読み取り可能なデータフォーマットで電子レセプトを出力し、調剤サービスが、社会保険または国民健康保険の適用対象外である場合に、前記電子レセプトのデータフォーマットと同一のデータフォーマットで、調剤サービスに関わる調剤データを出力するレセプトコンピュータと、
前記レセプトコンピュータから出力される調剤データを読み取る読取部、データを記憶する記憶部、及び前記読取部で読み取られた調剤データを、前記記憶部に記憶させる処理部を含む本部サーバと
を有する薬局販売情報システム。
【発明の詳細な説明】
【技術分野】
【０００１】
本発明は、薬局販売情報システムに関し、特に薬局に配置されるレセプトコンピュータ等の端末から出力される調剤データを記憶する薬局販売情報システムに関する。さらに、本発明は、この薬局販売情報システムに用いられる本部サーバ、レセプトコンピュータ及びそのプログラムに関する。
【背景技術】
【０００２】
図３に、下記の特許文献１に開示された販売情報管理システムの概略図を示す。各薬局５０に、レセプトコンピュータ（以下、「レセコン」と標記する。）５１、薬局サーバ５２、及びＰＯＳ端末５３が設置されている。レセコン５１は、処方箋に従って調剤された薬品の代金や保険点数、調剤報酬等の計算を行う。また、レセコン５１には、保険証に記載された顧客の属性情報が入力される。ＰＯＳ端末５３は、顧客に請求する商品代金等の計算を行う。薬局サーバ５２は、レセコン５１やＰＯＳ端末５３に入力された顧客の属性情報、商品情報等を管理する。
【０００３】
薬局サーバ５２と本部サーバ５５とが、電気通信網５４を介して相互に通信を行う。本部サーバ５５は、薬局サーバ５２に記憶されている情報を取得し、顧客や商品に関する情報を管理する。
【０００４】
【特許文献１】特開２００２−２３６７４９号公報
【発明の開示】
【発明が解決しようとする課題】
【０００５】
薬局サーバ５２と本部サーバ５５との間でデータの送受信を行うために、データのフォーマットを統一しなければならない。このデータフォーマットは、通常、本部サーバ５５や薬局サーバ５２を提供するメーカによって決められる。このため、薬局サーバ５２と本部サーバ５５とのメーカが異なれば、両者の間で通信を行うことができない。通信を行うためには、薬局サーバ５２または本部サーバ５５に、データフォーマットを変換するプログラムを追加しなければならない。今後、薬局同士の業務提携や企業買収等により、種々のメーカの薬局サーバ５２を本部サーバ５５に接続する機会が増えてくると思われる。
【０００６】
本発明の目的は、最小限のプログラム変更で、薬局に設置されている端末を本部サーバに接続することができる薬局販売情報システムを提供することである。本発明の他の目的は、この薬局販売情報システムに用いられる本部サーバ、レセコン及びレセコン用プログラムを提供することである。
【課題を解決するための手段】
【０００７】
本発明の一観点によれば、薬局に配置されたレセプトコンピュータから出力される電子レセプトと同一データフォーマットの調剤データを読み取る読取部と、データを記憶する記憶部と、前記読取部で読み取られた調剤データを、前記記憶部に記憶させる処理部とを有する本部サーバが提供される。
【０００８】
本発明の他の観点によると、薬局に設置されるレセプトコンピュータであって、患者に対して行われた調剤サービスが、社会保険または国民健康保険の適用対象である場合に、該当の保険の支払基金システムが読み取り可能なデータフォーマットで電子レセプトを出力し、調剤サービスが、社会保険または国民健康保険の適用対象外である場合に、前記電子レセプトのデータフォーマットと同一のデータフォーマットで、調剤サービスに関わる調剤データを出力するレセプトコンピュータ、及びそのプログラムが提供される。
【０００９】
本発明のさらに他の観点によると、薬局に設置されるレセプトコンピュータであって、患者に対して行われた調剤サービスが、社会保険または国民健康保険の適用対象である場合に、該当の保険の支払基金システムが読み取り可能なデータフォーマットで電子レセプトを出力し、調剤サービスが、社会保険または国民健康保険の適用対象外である場合に、前記電子レセプトのデータフォーマットと同一のデータフォーマットで、調剤サービスに関わる調剤データを出力するレセプトコンピュータと、前記レセプトコンピュータから出力される調剤データを読み取る読取部、データを記憶する記憶部、及び前記読取部で読み取られた調剤データを、前記記憶部に記憶させる処理部を含む本部サーバとを有する薬局販売情報システムが提供される。
【発明の効果】
【００１０】
現行のレセコンは、電子レセプトを作成する機能を有している。このため、電子レセプトのデータフォーマットと同一のデータフォーマットを有する調剤データを作成する機能を、容易に追加することができる。このレセコンを用いることにより、本部サーバは、種々のメーカのレセコンから、共通のデータフォーマットで調剤データを受け取ることができる。
【発明を実施するための最良の形態】
【００１１】
図１に、実施例による薬局販売情報システムで用いられるレセコン２のブロック図を示す。レセコン２は、入力部３、保険適用有無判断部４、電子レセプト作成部５、及び調剤データ作成部６を含んで構成される。入力部３は、キーボード、マウス、バーコードリーダ、またはローカルエリアネットワークとのインタフェース回路等により構成されている。入力部３を介して、レセコン２に、保険証に記載されている顧客の属性、顧客に販売する薬品に関する情報等が入力される。レセコン２は、処方箋に従って調剤された薬品の代金、保険点数、調剤報酬等の計算を行う。
【００１２】
社会保険や国民健康保険の適用外の調剤サービス、例えば自動車損害賠償責任保険が適用される調剤サービス、自費による調剤サービス等については、保険点数等の計算を行う必要が無い。このため、従来は、このような調剤サービスに関しては、薬品に関する情報がレセコン２に入力されていなかった。本実施例においては、社会保険や国民健康保険の適用外の調剤サービスについても、調剤された薬品に関する情報が入力部３を通してレセコン２に入力される。入力情報には、調剤サービスが保険適用か、保険適用外かを示す情報が含まれる。
【００１３】
保険適用有無判断部４は、入力された情報に関わる調剤サービスが保険適用か、保険適用外かを判定する。
【００１４】
調剤サービスが保険適用である場合、電子レセプト作成部５が、電子レセプトを作成する。電子レセプトは、社会保険診療報酬支払基金及び国民健康保険連合会のコンピュータに読み取り可能なデータフォーマットを有し、例えばフレキシブルディスク等の磁気記録媒体に記録される。さらに、調剤データ作成部６が、電子レセプトと同一のデータフォーマットで、調剤データを作成する。調剤サービスが保険適用外である場合には、電子レセプトは作成されず、調剤データ作成部６が、電子レセプトと同一のデータフォーマットで、調剤データを作成する。調剤データは、例えばフレキシブルディスク等の磁気記録媒体に記録されるか、電気通信回線を通して、他のコンピュータに送信される。
【００１５】
電子レセプト及び調剤データは、調剤年月、調剤を行った薬局を特定する薬局識別情報、処方箋を処方した医師を特定する医師識別情報、処方箋が処方された医療機関を特定する医療機関識別情報、及び処方箋が処方された医療機関の属する都道府県を特定する地域識別情報、該処方箋に基づいて調剤された薬剤種別を特定する薬剤種別情報、及び調剤された量を特定する使用量情報を含む。
【００１６】
図２に、実施例による薬局販売情報システムの本部サーバ１０のブロック図を示す。本部サーバ１０は、入力部１１、処理部１２、及び記憶部１３を含んで構成される。各薬局１Ａ〜１Ｃに設置されたレセコン２Ａ〜２Ｃで作成された調剤データが、入力部１１を通して、本部サーバ１０に入力される。入力部１１は、例えばフレキシブルディスク等の磁気記録媒体に記録されたデータを読み取る読取装置、または電気通信回線を経由して転送された調剤データを受信する受信装置等で構成される。
【００１７】
記憶部１３に、在庫データベース、売上データベース、医師別売上集計データベース、医療機関別売上集計データベース、地域別売上集計データベース等のための記憶領域が確保されている。在庫データベースには、薬局ごとに、薬剤、及びその在庫が記憶されている。売上データベースには、薬局ごと及び薬剤ごとに、調剤年月、処方した医療機関名、医師名、及び売上げが記憶されている。医師別売上集計データベースには、処方箋を処方した医師別に、医療機関名、調剤年月、処方した薬剤、及びその売上げが記憶されている。医療機関別売上集計データベースには、処方箋を処方した医療機関別に、調剤年月、処方した薬剤、及びその売上げが記憶されている。地域別売上集計データベースには、処方箋を処方した医療機関の属する地域別、例えば都道府県別に、調剤年月、処方した薬剤、及びその売上げが記憶されている。
【００１８】
処理部１２は、入力部１１を経由して入力された調剤データを分析し、在庫データベース及び売上データベースを更新する。さらに、定期的に、売上データベースにアクセスし、医師別、医療機関別、及び地域別に売上データを集計し、医師別売上集計データベース、医療機関別売上集計データベース、地域別売上集計データベースを更新する。
【００１９】
情報分析会社２０から情報提供依頼があると、各データベースに記憶されている情報に基づいて、提供依頼のあった情報が提供される。例えば、情報分析会社にネットワーク端末を配置し、このネットワーク端末と本部サーバ１０とを電気通信回線で接続することにより、リアルタイムに所望の情報を取り寄せることが可能になる。情報分析会社に提供されるデータは、種々のデータが集計された統計データであり、本部サーバ１０には、個人情報が漏洩しないようなセキュリティ対策が施されている。
【００２０】
なお、薬局１Ａ〜１Ｃに設置されたレセコン２Ａ〜２Ｃで作成された電子レセプトは、社会保険診療報酬支払基金や国民健康保険団体連合会等の支払基金２１に送られる。将来、保険制度が改正されて、社会保険診療報酬支払基金や国民健康保険団体連合会等に代わる機関が設立された場合には、この機関に電子レセプトが送られることになる。さらに、将来的には、薬局から各健康保険組合に電子レセプトが直接送られることも想定される。
【００２１】
以下、情報提供の具体例について説明する。医薬分業が進み、保険薬局における医療用医薬品の売上高が、病院及び診療所における医療用医薬品の売上高に比べて多くなってきている。
【００２２】
通常、医薬品には、効能効果、使用上の注意、用法用量等が記された文書が添付されて販売される。医療機関が医薬品を購入すると、医薬品メーカは、医薬品販売実績から、どの医薬品が、どの医療機関に購入されたかを知ることができる。自社の医薬品を購入した医療機関を知ることができれば、緊急安全性情報、安全性情報、使用上の注意の改定情報、添付文書の改定情報等を、早急に医療機関に提供することができる。これにより、副作用の発生等を未然に防ぐことが可能になる。
【００２３】
ところが、院外処方箋を発行する医療機関は、医薬品を購入しないため、医薬品メーカは、自社の医薬品を購入した保険薬局を知ることはできるが、その医薬品を処方した医療機関を知ることが困難になる。
【００２４】
また、病院と診療所との連携が強まると、診療所において処方される医薬品の種類が増加する。さらに、「かかりつけ薬局」の浸透により、１つの保険薬局が受け付ける医療機関の数が増加の傾向にある。これにより、医薬品メーカは、自社の医薬品を処方している医療機関を特定することがますます困難になる。
【００２５】
平成１８年度診療報酬の改定により、医療費抑制策の一環として、処方医師の承認があると、患者の希望により、保険薬局において、新医薬品（先発品）に代えて後発品（ジェネリック医薬品）を処方することが可能になった。ところが、先発品から後発品への代替量がどの程度あったのか、容易に知ることが困難であった。
【００２６】
図２に示した薬局販売情報システムにおいて、本部サーバ１０は、例えば下記の機能を有する。
【００２７】
情報分析会社２０から、ある薬剤を処方した医療機関名に関する情報提供依頼があると、本部サーバ２０は、医療機関別売上集計データベースから、その薬剤を処方した医療機関を抽出する。抽出された結果は、情報分析会社２０に提供される。この情報から、医薬品メーカは、自社のどの薬剤が、どの医療機関で処方されたかという情報を取得することが可能になる。同様に、薬剤を処方した医師に関する情報を取得することも可能である。この情報に基づいて、医薬品メーカは、自社の医薬品の緊急安全性情報、安全性情報、使用上の注意の改定情報、添付文書の改定情報等を、早急かつ適確に、医療機関に提供することが可能になる。
【００２８】
情報分析会社２０から、ある先発品、及びそれと同一成分の複数の後発品の売上高に関する情報提供依頼があると、本部サーバ２０は、売上データベースから、先発品及び後発品の売上高を抽出する。抽出された結果は、情報分析会社２０に提供される。この情報から、後発品を利用することによる医療費抑制の効果を検証することができる。さらに、調剤年月ごとに、売上高を抽出することにより、先発品から後発品への代替状況の時系列を取得することができる。
【００２９】
情報分析会社２０から、ある薬剤の地域別の売上高に関する情報提供依頼があると、本部サーバ２０は、地域別売上集計データベースから、その薬剤が処方された地域と売上高を抽出する。抽出された結果は、情報分析会社２０に提供される。この情報から、医薬品の地域別使用量を取得することができる。これにより、病気の発生状況を地域別に知ることができ、地域別に、健康維持のための適切な生活指導を行うことが可能になる。
【００３０】
上記実施例では、本部サーバ１０に入力される調剤データは、社会保険診療報酬支払基金等に請求される電子レセプトと同一のデータフォーマットを有する。薬局に設置されているレセコンには、そのメーカが異なっても、この電子レセプトを作成する機能が既に備わっている。従って、現行のレセコンに、プログラムの大幅な改変を伴うことなく、調剤データ作成機能を追加することができる。
【００３１】
本部サーバ１０の入力部１１には、電子レセプトと同一のデータフォーマットを有する調剤データを読み取る機能を準備すれば十分であり、メーカごとに異なる種々のデータフォーマットの調剤データを読み取る機能を準備する必要がない。新たなメーカのレセコンを本部サーバに接続する場合であっても、本部サーバのプログラムの改変を行う必要がない。
【００３２】
以上実施例に沿って本発明を説明したが、本発明はこれらに制限されるものではない。例えば、種々の変更、改良、組み合わせ等が可能なことは当業者に自明であろう。
【図面の簡単な説明】
【００３３】
【図１】実施例による薬局販売情報システムに用いられるレセコンのブロック図である。
【図２】実施例による薬局販売情報システムの本部サーバ及び関連要素のブロック図である。
【図３】従来の薬局販売情報管理システムのブロック図である。
【符号の説明】
【００３４】
１Ａ〜１Ｃ  薬局
２、２Ａ〜２Ｃ  レセコン
３  入力部
４  保険適用有無判断部
５  電子レセプト作成部
６  調剤データ作成部
１０  本部サーバ
１１  入力部
１２  処理部
１３  記憶部
２０  情報分析会社
２１  支払基金
５０  薬局
５１  レセコン
５２  薬局サーバ
５３  ＰＯＳ端末
５４  電気通信網
５５  本部サーバ
【図１】
2007052767.tif 000003
【図２】
2007052767.tif 000004
【図３】
2007052767.tif 000005
【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
薬局に配置されたレセプトコンピュータから出力される電子レセプトと同一データフォーマットで記録媒体に記録された調剤データ、または該同一データフォーマットで電気通信回線を経由して転送された調剤データを読み取る読取部と、
データを記憶する記憶部と、
前記読取部で読み取られた調剤データを、前記記憶部に記憶させる処理部と
を有する本部サーバ。
【請求項２】
前記調剤データが、処方箋を処方した医師を特定する医師識別情報、処方箋が処方された医療機関を特定する医療機関識別情報、処方箋が処方された医療機関の属する地域を特定する地域識別情報、該処方箋に基づいて調剤された薬剤種別を特定する薬剤種別情報、及び調剤された量を特定する使用量情報を含み、
前記記憶部は、薬局ごと及び薬剤ごとに、処方した医療機関名、医師名、及び売上げを記憶する売上データベース用の記憶領域を含み、
前記処理部は、前記読取部で読み取られた調剤データを分析し、前記記憶部に記憶されている売上データベースを更新する請求項１に記載の本部サーバ。
【請求項３】
前記記憶部は、さらに、処方箋を処方した医師別に、処方した薬剤種別及び売上げを記憶する医師別売上集計データベース用、処方箋を処方した医療機関別に、処方した薬剤種別及び売上げを記憶する医療機関別売上集計データベース用、及び処方した医療機関の属する地域別に、薬剤種別及び売上げを記憶する地域別売上集計データベース用の記憶領域を含み、
前記処理部は、定期的に、前記売上データベースにアクセスして、医師別、医療機関別、及び地域別に売上データを集計し、前記医師別売上集計データベース、医療機関別売上集計データベース、及び地域別売上集計データベースを更新する請求項２に記載の本部サーバ。
【請求項４】
前記処理部は、ある薬剤を処方した医療機関名または医師名に関する情報提供依頼があると、前記記憶部に記憶されている医療機関別売上集計データベースから、該薬剤を処方した医療機関名または医師名を抽出し、抽出された医療機関名または医師名を、電気通信回線で接続されたネットワーク端末に出力する請求項２に記載の本部サーバ。
【請求項５】
前記処理部は、同一成分の薬剤の先発品及び後発品の売上高に関する情報提供依頼があると、前記記憶部に記憶されている売上データベースから、該先発品及び後発品の売上高を抽出し、抽出された売上高を薬剤ごとに、電気通信回線で接続されたネットワーク端末に出力する請求項２に記載の本部サーバ。
【請求項６】
前記処理部は、ある薬剤の地域別の売上高に関する情報提供依頼があると、前記記憶部に記憶されている地域別売上集計データベースから、該薬剤が処方された地域と売上高を抽出し、抽出された売上高を地域別に、電気通信回線で接続されたネットワーク端末に出力する請求項２に記載の本部サーバ。
【請求項７】
薬局に設置されるレセプトコンピュータであって、
該レセプトコンピュータは、調剤サービスが保険適用か保険適用外かを示す保険適用情報が入力される入力部を含み、
前記入力部から入力された保険適用情報が、社会保険または国民健康保険の適用対象である場合に、該当の保険の支払基金システムが読み取り可能なデータフォーマットで電子レセプトを記録媒体に出力し、または電気通信回線を通して他のコンピュータに送信し、前記入力部から入力された保険適用情報が、社会保険または国民健康保険の適用対象外である場合に、前記電子レセプトのデータフォーマットと同一のデータフォーマットで、調剤サービスに関わる調剤データを記録媒体に出力し、または電気通信回線を通して他のコンピュータに送信するレセプトコンピュータ。
【請求項８】
薬局に設置されるレセプトコンピュータ用プログラムであって、
該プログラムは、調剤サービスが保険適用か保険適用外かを示す保険適用情報が入力されると、入力された保険適用情報が、社会保険または国民健康保険の適用対象を示している場合に、該当の保険の支払基金システムが読み取り可能なデータフォーマットで電子レセプトを記録媒体に出力し、または電気通信回線を通して他のコンピュータに送信し、入力された保険適用情報が、社会保険または国民健康保険の適用対象外を示している場合に、前記電子レセプトのデータフォーマットと同一のデータフォーマットで、調剤サービスに関わる調剤データを記録媒体に出力し、または電気通信回線を通して他のコンピュータに送信するレセプトコンピュータ用プログラム。
【請求項９】
薬局に設置されるレセプトコンピュータと、本部サーバとを有する薬局販売情報システムであって、
該レセプトコンピュータは、調剤サービスが保険適用か保険適用外かを示す保険適用情報が入力される入力部を含み、
前記入力部から入力された保険適用情報が、社会保険または国民健康保険の適用対象である場合に、該当の保険の支払基金システムが読み取り可能なデータフォーマットで電子レセプトを記録媒体に出力し、または電気通信回線を通して他のコンピュータに送信し、前記入力部から入力された保険適用情報が、社会保険または国民健康保険の適用対象外である場合に、前記電子レセプトのデータフォーマットと同一のデータフォーマットで、調剤サービスに関わる調剤データを記録媒体に出力し、または電気通信回線を通して他のコンピュータに送信し、
前記本部サーバは、前記レセプトコンピュータから記録媒体に出力された調剤データを読み取る、または前記レセプトコンピュータから電気通信回線を通して送信された調剤データを読み取る読取部、データを記憶する記憶部、及び前記読取部で読み取られた調剤データを、前記記憶部に記憶させる処理部を含む薬局販売情報システム。
【手続補正２】
【補正対象書類名】明細書
【補正対象項目名】０００７
【補正方法】変更
【補正の内容】
【０００７】
本発明の一観点によれば、薬局に配置されたレセプトコンピュータから出力される電子レセプトと同一データフォーマットで記録媒体に記録された調剤データ、または該同一データフォーマットで電気通信回線を経由して転送された調剤データを読み取る読取部と、データを記憶する記憶部と、前記読取部で読み取られた調剤データを、前記記憶部に記憶させる処理部とを有する本部サーバが提供される。
【手続補正３】
【補正対象書類名】明細書
【補正対象項目名】０００８
【補正方法】変更
【補正の内容】
【０００８】
本発明の他の観点によると、薬局に設置されるレセプトコンピュータであって、該レセプトコンピュータは、調剤サービスが保険適用か保険適用外かを示す保険適用情報が入力される入力部を含み、前記入力部から入力された保険適用情報が、社会保険または国民健康保険の適用対象である場合に、該当の保険の支払基金システムが読み取り可能なデータフォーマットで電子レセプトを記録媒体に出力し、または電気通信回線を通して他のコンピュータに送信し、前記入力部から入力された保険適用情報が、社会保険または国民健康保険の適用対象外である場合に、前記電子レセプトのデータフォーマットと同一のデータフォーマットで、調剤サービスに関わる調剤データを記録媒体に出力し、または電気通信回線を通して他のコンピュータに送信するレセプトコンピュータ、及びそのプログラムが提供される。
【手続補正４】
【補正対象書類名】明細書
【補正対象項目名】０００９
【補正方法】変更
【補正の内容】
【０００９】
本発明のさらに他の観点によると、薬局に設置されるレセプトコンピュータと、本部サーバとを有する薬局販売情報システムであって、該レセプトコンピュータは、調剤サービスが保険適用か保険適用外かを示す保険適用情報が入力される入力部を含み、前記入力部から入力された保険適用情報が、社会保険または国民健康保険の適用対象である場合に、該当の保険の支払基金システムが読み取り可能なデータフォーマットで電子レセプトを記録媒体に出力し、または電気通信回線を通して他のコンピュータに送信し、前記入力部から入力された保険適用情報が、社会保険または国民健康保険の適用対象外である場合に、前記電子レセプトのデータフォーマットと同一のデータフォーマットで、調剤サービスに関わる調剤データを記録媒体に出力し、または電気通信回線を通して他のコンピュータに送信し、前記本部サーバは、前記レセプトコンピュータから記録媒体に出力された調剤データを読み取る、または前記レセプトコンピュータから電気通信回線を通して送信された調剤データを読み取る読取部、データを記憶する記憶部、及び前記読取部で読み取られた調剤データを、前記記憶部に記憶させる処理部を含む薬局販売情報システムが提供される。